(57)【特許請求の範囲】
【請求項１】
木質屋根下地上に、上側木質板の下端を下側木質板の上端に重ねるように固定して略階段的な防水下地を形成し、前記上側木質板の下端に略Ｌ字形状の樹脂被覆鋼板を固定し、前記防水下地上に防水シートを前記上側木質板と前記下側木質板とを覆うようにして略階段状に連続して敷設し、前記防水シートを前記樹脂被覆鋼板に溶着することを特徴とするシート防水木質屋根構造。
【請求項２】
木質屋根下地上に、上側木質板の下端を下側木質板の上端に３０〜６０ｍｍの幅で重ねるように固定して略階段的な防水下地を形成し、前記上側木質板の下端に略Ｌ字形状の樹脂被覆鋼板を固定し、前記防水下地上に防水シートを前記上側木質板と前記下側木質板とを覆うようにして略階段状に連続して敷設し、前記防水シートを前記樹脂被覆鋼板に溶着することを特徴とするシート防水木質屋根構造。
【発明の詳細な説明】
【技術分野】
【０００１】
本発明は、屋根構造に関し、更に詳しくは意匠性のあるシート防水木質屋根構造に関するものである。
【背景技術】
【０００２】
従来の木造住宅の屋根は、屋根下地の野地板上にアスファルト、ゴムアスファルトからなる防水シートをタッカーで止めながら敷設した後、一定間隔で胴縁を打ち付けて、これにスレート瓦を重ね合わせながらビスや釘で野地板に止めつけている。スレート瓦には、屋根への重量負荷及び地震による滑落の問題、防水上、緩勾配にできないため屋根の意匠的制限を受ける等の問題、石綿入りの場合は廃棄処分の問題などを有している。
また、旧建築基準法では、屋根は不燃材で葺かなければならない等の制限があったが、新建築基準法では、防火上の技術的基準に合格すればよく、適用範囲が拡大して木質屋根でも可能となった。防火基準に合格する木質屋根のシート防水工法は既に本出願人が提案（特許文献１）しているが、意匠を考慮した木質屋根のシート防水工法は未だ開発されていない。
【特許文献１】特開２００３−２０６５９８号公報
【発明の開示】
【発明が解決しようとする課題】
【０００３】
本発明は、上記問題点に鑑みてなされたものであり、従来のスレート瓦等無機質の屋根材重量と比べその重量を約１／２にして建物への負荷を低減するとともに屋根材の滑落がなく、屋根材廃棄物の再生が可能であり、屋根が緩勾配であっても防水性を確保でき、意匠的にも優れたシート防水木質屋根を提供することを目的とする。
【課題を解決するための手段】
【０００４】
上記課題を解決するために本発明の講じた手段は、木質屋根下地上に、上側木質板の下端を下側木質板の上端に重ねるように固定して略階段的な防水下地を形成し、前記防水下地上に防水シートを前記上側木質板と前記下側木質板とを覆うようにして略階段状に連続して敷設するシート防水木質屋根構造としたことであり、木質屋根下地上に、上側木質板の下端を下側木質板の上端に３０〜６０ｍｍの幅で重ねるように固定して略階段的な防水下地を形成し、前記防水下地上に防水シートを前記上側木質板と前記下側木質板とを覆うようにして略階段状に連続して敷設するシート防水木質屋根構造としたことであり、前記上側木質板の下端に略Ｌ字形状の樹脂被覆鋼板を固定し、敷設する防水シートを該樹脂被覆鋼板に溶着するシート防水木質屋根構造としたことである。
【発明の効果】
【０００５】
本発明のシート防水木質屋根構造は、木質板を重ねて略階段的な防水下地としたことにより、軽量であって、擬スレート瓦状の外観を有し意匠性に優れており、また、防水シートを略Ｌ字形状の樹脂被覆鋼板に溶着するため防水性、耐久性に優れ、さらに防水透湿シートを使用することにより、さらに防水性、耐久性を向上することができる。
【発明を実施するための最良の形態】
【０００６】
本発明のシート防水木質屋根構造及びその施工手順について、図面を基に詳しく説明する。図１は、本発明のシート防水木質屋根構造の1例を示す模式断面図である。
屋根の骨組みである垂木に野地板などを取り付けて木質屋根下地１を形成する。木質屋根下地１には、通常、厚みが９〜２８ｍｍで、合板、杉板、集束材等が使用できる。
【０００７】
次に、木質屋根下地１上に、長手方向を屋根に平行にして屋根勾配方向に見合った数の木質板を木質板の端部を重ねた状態でビスや釘で固定して略階段状の防水下地３を形成する。屋根の上側木質板の下端部分を下側木質板の上端部分に３０〜６０ｍｍの幅で部分的に重ねて略階段状とする。
防水下地３の材料には、厚みが９〜１５ｍｍ、通常１２ｍｍの針葉樹合板、南洋樹合板、
パーティクルボード、ＯＳＢ等の合板もしくは集束板を使用することができる。防水下地３は、炎の貫通を防ぐためにも木質屋根下地１と目地が重ならないように張り合わせていくことが好ましく、防水下地３を構成する木質板の各段の幅は任意でよいが、作業性、デザイン性を考慮すると、３００〜５００ｍｍがよい。
木質屋根下地１と防水下地３の接触部分の防水下地裏側に任意の間隔で凹凸を形成し、湿気の抜け道を作っても良い。
【０００８】
また、防水下地３を形成する前に、予め、木質屋根下地１の上に防水透湿シート２を敷設することが好ましい。これによって、防水性が向上するばかりでなく防水透湿シート２は透湿性を有するため野地板等の屋根下地１の水分を透過させることができ木質屋根下地１を湿気劣化から保護し、屋根下地１の耐久性が向上する。さらに改修時には、木質屋根下地１は残して、防水下地３のみを交換取付けることで、リニューアルが可能となる。
防水透湿シート２はタッカーやアクリル樹脂系、ブチル系両面粘着テープで部分的に張り合わせながら木質屋根下地１に敷設することができる。
上記防水透湿シート２には、厚みが０．１〜０．６ｍｍ、耐水圧が０．１〜１ｍのポリエステル繊維、ポリプロピレン樹脂などからなる単層または複層の不織布が使用でき、ジュポン社製「タイペック」、Ａ ＰＲＯＣＴＥＲ社製「ルーフシールド」などが例示される。
さらに、上記防水透湿シート２の表面に厚み１０〜５０ミクロンのアルミ箔が積層または蒸着されているか、赤外線反射性顔料が配合された塗料が塗布されていることが好ましく、このことにより、輻射熱を反射し屋根裏の温度上昇を低減することができる。
【０００９】
防水下地３の上側木質板と下側木質板の段差が小さい場合、段差部分に接する防水シート５を充分に接着固定できないため、経年で防水シート５が突っ張ってフクれが発生すると、水溜まりやゴミ溜まり等の外観及び防水上好ましくなくなる。そこで、このような場合、上側木質板の下端部分にビス、接着剤等で略Ｌ字形状の樹脂被服鋼板４を取り付けることが好ましく、このことにより、防水シート５を略Ｌ字形状の樹脂被服鋼板４に溶着し、防水シート５の角のフクレ又は浮きをなくすことができ、仕上がりも綺麗になる。
【００１０】
防水シート５を、段の幅に段差分、下段シートとのラップ代を加えた長さにカットし、略階段状防水下地３の下段側から各段ごとに敷設する。隣り合う上段及び下段の防水シート５を熱または溶剤で溶着接合する。防水シート５の敷設は、エポキシ樹脂、二トリルゴム系、ウレタン樹脂系などの接着剤で防水下地３に接着しながら行なう。また、屋根下端の軒先部分には樹脂で被覆された軒先金物７をビス、接着剤等で防水下地３に固定して軒先金物７と最下端の防水シート５とを溶着して仕上げるとよい。
【００１１】
本発明で使用する防水シート５は単色でもよいが、表層を同系色の濃淡または異色の２色以上で帯状に積層してデザイン性を付与することにより景観を良くすることができる。
或いは防水シート上に、厚みが１．５〜２．５ｍｍで、表層が多色で型押した意匠シート６をウレタン樹脂系、エポキシ樹脂系等の接着剤で接着し、意匠付与してもよい。
【産業上の利用可能性】
【００１２】
上述の通り本発明により、木質板を重ねて略階段的な防水下地としたことにより、軽量であって、擬スレート瓦状の外観を有し意匠性に優れており、また、防水シートを略Ｌ字形状の樹脂被覆鋼板に溶着するため防水性、耐久性に優れ、加えて防水透湿シート使用することにより、さらに防水性、耐久性が向上するため、シート防水木質屋根構造として広く利用することができる。
【図面の簡単な説明】
【００１３】
【図１】本発明によるシート防水木質屋根構造の模式断面図
【符号の説明】
【００１４】
１  木質屋根下地
２  防水透湿シート
３  防水下地
４  略Ｌ字形状の樹脂被覆鋼板
５  防水シート
６  意匠シート
７  軒先金物
【図１】
0004822827.tif 000002